(57)【要約】【課題】サーバー上で加工された画像（以下、作品という）をダウンロードするときに付加されるタグに会員にとっての価値を持たせ、タグをサービス向上の手段として活用する。【解決手段】画像サービスサイトの制御部は、画像表示装置からのオブジェクトの指定を受け付け（ステップＳ１０１）、読み出す（ステップＳ１０２）。乱数を発生させ（ステップＳ１０３）、この発生させた乱数により指定されるタグを素材バンクから読み出す（ステップＳ１０４）。このとき、当該タグを当たりとするかどうかの決定、及び当該タグの価値を決定する。また、このタグをオブジェクトに合成する（ステップＳ１０５）。引き続き、ダウンロードユーザーにタグの価値を加算する（ステップＳ１０６）。また、作品作成者にタグの価値加算（ポイント加算）する（ステップＳ１０７）。しかる後に、タグが付加されたオブジェクトをダウンロードさせる（ステップＳ１０８）。【選択図】図９
2012215928.tif 000002
【特許請求の範囲】
【請求項１】
ユーザーが画像データをダウンロードできる画像データサービスシステムにおいて、
前記画像データに可視状のタグを付加し、当該タグに所定の条件に基づき価値を付与して、前記画像データを前記ユーザーにダウンロードさせることを特徴とする画像サービスシステム。
【請求項２】
画像データを記憶する第１の記憶手段と、
前記記憶手段に記憶された画像データから加工画像を抽出する抽出手段と、
前記抽出手段により抽出された加工画像を記憶する第２の記憶手段と、
タグを生成するタグ生成手段と、
前記タグ生成手段で生成されたタグに所定の価値情報を付加する付加手段と、
前記タグ生成手段により生成され前記付加手段により価値情報が付加されたタグを前記部分画像に合成する合成処理を行うタグ合成手段と、
を具備したことを特徴とする画像サービス装置。
【請求項３】
請求項２において、
前記合成手段は第２の記憶手段に記憶されている加工画像をユーザーのコンピュータにダウンロードする際に前記タグ合成処理を行うことを特徴とする画像サービス装置。
【請求項４】
請求項３において、
ユーザーが前記加工画像をダウンロードした際、前記タグに付加されている価値情報の価値に応じて、当該ユーザーは、所定の利益を得ることを特徴とする画像サービス装置。
【請求項５】
ネットワークを介して接続される端末とサーバーとで構成されるネットワークシステムであって、
前記端末は、画像データをダウンロードするダウンロード手段を備え、
前記サーバーは、画像データ又はこれを加工した画像データであるオブジェクトを記憶する記憶手段と、
この記憶手段に記憶されたオブジェクトの前記端末からのダウンロード要求に応じて、ダウンロードを許可する許可手段と、
種別に応じて異なる価値を有するタグを前記ダウンロードされるオブジェクトに付加する付加手段と
を備えることを特徴とするネットワークシステム。
【請求項６】
ネットワークを介して接続される端末とサーバーとを用いる画像サービス方法であって、
前記サーバーは、画像データ又はこれを加工した画像データであるオブジェクトを記憶し、
この記憶したオブジェクトの前記端末からのダウンロード要求に応じて、ダウンロードを許可し、
種別に応じて異なる価値を有するタグを前記ダウンロードされるオブジェクトに付加することを特徴とする画像サービス方法。
【請求項７】
ネットワークを介して接続される端末とサーバーとで構成されるネットワークシステムにおけるサーバーが有するコンピュータを、
画像データ又はこれを加工した画像データであるオブジェクトを記憶する記憶手段と、
この記憶手段に記憶されたオブジェクトの前記端末からのダウンロード要求に応じて、ダウンロードを許可する許可手段と、
種別に応じて異なる価値を有するタグを前記ダウンロードされるオブジェクトに付加する付加手段と
して機能させることを特徴とするプログラム。
【請求項８】
会員制ソーシャル・ネットワーク・サービスサイトにおける画像サービスシステムであって、
画像を会員の端末から当該サービスサイトのサーバーにアップロードさせるアップロード手段と、
前記アップロードされた画像を前記サーバー上で画像処理する画像処理手段と、
前記画像処理された処理画像を第三者が閲覧可能にサーバー上で公開する公開手段と、
複数の異なるタグ情報を生成するタグ生成手段と、
前記公開された処理画像の閲覧状況に応じて前記処理画像に第１の価値情報を与えるとともに、前記タグ生成手段により生成されたタグ情報の中から第２の価値情報に対応するタグ情報を選択するタグ選択手段と、
前記公開された処理画像を会員の端末にダウンロードさせるダウンロード手段と、
を備え、
前記ダウンロードの際、前記処理画像に前記選択された第２の価値情報に対応するタグ情報を付加し、当該ダウンロードした会員に前記第２の価値情報を付与することを特徴とする画像サービスシステム。
【請求項９】
会員制ソーシャル・ネットワーク・サービスサイトにおける画像サービスシステムであって、
画像を会員の端末から当該サービスサイトのサーバーにアップロードさせるアップロード手段と、
前記アップロードされた画像を前記サーバー上で画像処理する画像処理手段と、
前記画像処理された処理画像を第三者が閲覧可能にサーバー上で公開する公開手段と、
タグ情報を生成するタグ生成手段と、
前記公開された処理画像の閲覧状況に応じて前記処理画像に第１の価値情報を付与するとともに、前記タグ生成手段により生成されたタグ情報に第２の価値情報を付与する価値付与手段と、
前記公開された処理画像を会員の端末にダウンロードさせるダウンロード手段と、
を備え、
前記ダウンロードの際、前記処理画像に前記生成され前記第２の価値情報が付与されたタグ情報を付加し、当該ダウンロードした会員に前記第２の価値情報を付与することを特徴とする画像サービスシステム。
【発明の詳細な説明】
【技術分野】
【０００１】
本発明は画像サービスシステム、画像サービス装置並びにプログラムに関する。特に、会員制コミュニケーションサービス（ソーシャル・ネットワーク・サービス、以下ＳＮＳという）において、ネットワークを介してサーバー上で画像を加工し、加工した画像をダウンロードする際に、当該画像に会員にとって価値のあるタグを付加する技術に関する。
【背景技術】
【０００２】
従来から、画像の中から特定の被写体（以下、オブジェクトという）を切り抜く技術は提案されている（例えば、特許文献１）。
【０００３】
特許文献１に記載の技術によれば、画像の中から特定の被写体を切り抜くことは、ネットワーク上のサーバーでも可能であるが、切り抜いたオブジェクトを無制限にダウンロードされては著作権が無視されてしまうという課題がある。
【０００４】
そこで、ダウンロードした画像の著作権を明らかにするために、ダウンロードした画像にＳａｍｐｌｅマーク（本実施形態においてはこのような付加情報を総称してタグという）を付加する技術も提案されている（例えば、特許文献２）。
しかしながら、特許文献２記載の技術は、タグは単に無制限なダウンロードを防止するためのものであって、会員にとっては価値のないものであるという課題があった。
【０００５】
他方、一般の撮影者が、自己の撮影した写真に対してネット上で評価を得ることができる技術（例えば、特許文献３）や、写真画像等のコンテンツの投稿を受け付け、コンテンツにランク付けする技術（例えば、特許文献４）も提案されている。
特許文献３記載の技術によれば、一般の撮影者が自己の撮影した写真をネットワークを介して画像評価システムにアップすると、所定の判断基準に基いて撮影指導情報を返信する。
【０００６】
しかしながら、特許文献３の技術では、写真の出来の良し悪しを評価するものであって、第三者の会員がその写真をダウンロードする場合までは想定されていない。
【０００７】
特許文献４記載の技術によれば、多数の投稿された写真画像について投稿により価値を決める技術が開示されている。しかし、特許文献３同様、写真の人気を評価するものであって、第三者の会員がその写真をダウンロードする場合までは想定されていない。
【先行技術文献】
【特許文献】
【０００８】
【特許文献１】特開２０１０−１５３９４７号公報
【特許文献２】特開２００６−１８００５１号公報
【特許文献３】特開２００２−１９７４５６号公報
【特許文献４】特開２００４−１５１９１８号公報
【発明の概要】
【発明が解決しようとする課題】
【０００９】
本発明は上記事情に鑑みてなされたもので、サーバー上で加工された画像（以下、作品という）をダウンロードするときに付加されるタグに会員にとっての価値を持たせ、タグをサービス向上の手段として活用することを目的とする。
【課題を解決するための手段】
【００１０】
前記課題を解決するため、請求項１記載の発明では、ユーザーが画像データをダウンロードできる画像データサービスシステムにおいて、前記画像データに可視状のタグを付加し、当該タグに所定の条件に基づき価値を付与して、前記画像データを前記ユーザーにダウンロードさせることを特徴とする画像サービスシステムを提供するものである。
【００１１】
請求項２記載の発明では、画像データを記憶する第１の記憶手段と、前記記憶手段に記憶された画像データから加工画像を抽出する抽出手段と、前記抽出手段により抽出された加工画像を記憶する第２の記憶手段と、タグを生成するタグ生成手段と、前記タグ生成手段で生成されたタグに所定の価値情報を付加する付加手段と、前記タグ生成手段により生成され前記付加手段により価値情報が付加されたタグを前記部分画像に合成する合成処理を行うタグ合成手段とを具備したことを特徴とする画像サービス装置を提供するものである。
【００１２】
請求項３記載の発明では、請求項２において、前記合成手段は第２の記憶手段に記憶されている加工画像をユーザーのコンピュータにダウンロードする際に前記タグ合成処理を行うことを特徴とする画像サービス装置を提供するものである。
請求項４記載の発明では、請求項３において、ユーザーが前記加工画像をダウンロードした際、前記タグに付加されている価値情報の価値に応じて、当該ユーザーは、所定の利益を得ることを特徴とする画像サービス装置を提供するものである。
【００１３】
請求項５記載の発明では、ネットワークを介して接続される端末とサーバーとで構成されるネットワークシステムであって、前記端末は、画像データをダウンロードするダウンロード手段を備え、前記サーバーは、画像データ又はこれを加工した画像データであるオブジェクトを記憶する記憶手段と、この記憶手段に記憶されたオブジェクトの前記端末からのダウンロード要求に応じて、ダウンロードを許可する許可手段と、種別に応じて異なる価値を有するタグを前記ダウンロードされるオブジェクトに付加する付加手段とを備えることを特徴とするネットワークシステムを提供するものである。
【００１４】
請求項６記載の発明では、ネットワークを介して接続される端末とサーバーとを用いる画像サービス方法であって、前記サーバーは、画像データ又はこれを加工した画像データであるオブジェクトを記憶し、この記憶したオブジェクトの前記端末からのダウンロード要求に応じて、ダウンロードを許可し、種別に応じて異なる価値を有するタグを前記ダウンロードされるオブジェクトに付加することを特徴とする画像サービス方法を提供するものである。
【００１５】
請求項７記載の発明では、ネットワークを介して接続される端末とサーバーとで構成されるネットワークシステムにおけるサーバーが有するコンピュータを、画像データ又はこれを加工した画像データであるオブジェクトを記憶する記憶手段と、この記憶手段に記憶されたオブジェクトの前記端末からのダウンロード要求に応じて、ダウンロードを許可する許可手段と、種別に応じて異なる価値を有するタグを前記ダウンロードされるオブジェクトに付加する付加手段として機能させることを特徴とするプログラムを提供するものである。
【００１６】
請求項８記載の発明では、会員制ソーシャル・ネットワーク・サービスサイトにおける画像サービスシステムであって、画像を会員の端末から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、複数の異なるタグ情報を生成するタグ生成手段と、前記公開された処理画像の閲覧状況に応じて前記処理画像に第１の価値情報を与えるとともに、前記タグ生成手段により生成されたタグ情報の中から第２の価値情報に対応するタグ情報を選択するタグ選択手段と、前記公開された処理画像を会員の端末にダウンロードさせるダウンロード手段と、を備え、前記ダウンロードの際、前記処理画像に前記選択された第２の価値情報に対応するタグ情報を付加し、当該ダウンロードした会員に前記第２の価値情報を付与することを特徴とする画像サービスシステムを提供するものである。
【００１７】
請求項９記載の発明では、会員制ソーシャル・ネットワーク・サービスサイトにおける画像サービスシステムであって、画像を会員の端末から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、タグ情報を生成するタグ生成手段と、前記公開された処理画像の閲覧状況に応じて前記処理画像に第１の価値情報を付与するとともに、前記タグ生成手段により生成されたタグ情報に第２の価値情報を付与する価値付与手段と、前記公開された処理画像を会員の端末にダウンロードさせるダウンロード手段と、を備え、前記ダウンロードの際、前記処理画像に前記生成され前記第２の価値情報が付与されたタグ情報を付加し、当該ダウンロードした会員に前記第２の価値情報を付与することを特徴とする画像サービスシステムを提供するものである。
【発明の効果】
【００１８】
本発明によれば、会員制コミュニケーションサービス等において、会員がネットワークを介してサーバー上で画像を加工して作品を作成し、他の会員がその作品をダウンロードする際に、当該作品に会員にとって価値のあるタグを付加することができる画像サービスシステム、画像サービス装置並びにプログラムを提供することができる。
【図面の簡単な説明】
【００１９】
【図１】（ａ）は、本発明の一実施の形態に係る画像表示装置の正面図、（ｂ）は側面図である。
【図２】画像表示装置の構成を示すブロック図である。
【図３】本実施形態によるネットワーク系の構成を示す概念図である。
【図４】画像サービスサイトの構成を示すブロック図である。
【図５】被写体切り抜き処理の処理手順を示すフローチャートである。
【図６】図５に続くフローチャートである。
【図７】（Ａ）は被写体存在画像Ｐ１の一例を示す画面図、（Ｂ）は被写体存在画像Ｐ１の切り抜き説明図、（Ｃ）は被写体切り抜き画像Ｐ２の一例を示す画面図である。
【図８】（Ａ）は撮影画像Ｐ１０の一例を示す画面図、（Ｂ）は絵画調画像Ｐ１１の一例を示す画面図、（Ｃ）は絵画調画像Ｐ１２の一例を示す画面図である。
【図９】ダウンロード時における画像サービスサイトの処理手順を示すフローチャートである。
【図１０】（Ａ）はオブジェクトＯにタグＴが合成された画像の一例を示す図、（Ｂ）はオブジェクトＯにタグＴが合成された画像の他の例を示す図である。
【発明を実施するための形態】
【００２０】
上記目的を達成するため、本発明の第１実施形態では、通常のタグに対し、所定の確率で当たりのタグが発生するようにする。この当たりのタグを得た作品の作者（またはダウンロードしようとした会員）には所定のメリットを与えるようにするものである。
【００２１】
なお、本実施形態の画像サービスサイトはだれでも閲覧できるが、サービスを利用するためには有料無料を問わず会員登録する必要がある。以下、会員登録したユーザーを会員といい、会員登録の有無にかかわらず本画像サービスサイトを閲覧する利用者全般をユーザーという。
【００２２】
図１は、本発明を適用した実施形態による画像表示装置１を示す外観図である。画像表示装置１の正面には、本体２に保持された液晶表示パネル３によって構成される表示部が設けられている。この液晶表示パネル３には、タッチパネル５が一体的に構成されており、指でタッチすることにより操作可能となっている。本体２の前面上部右側には、撮像素子８が設けられ、側面には、メモリカードスロット６が設けられている。更に、本体上部にＧＰＳ（Global
Positioning System）アンテナ７、前面上部左側にセンサ４０が設けられている。
【００２３】
図２は、本実施形態による画像表示装置１の電気的構成を示したブロック図である。画像表示装置１は、ＣＰＵ（Central Processing Unit）１１と、ＣＰＵ１１に接続されたＲＯＭ（Read
Only Memory）１２と、ＲＡＭ（Random Access memory）１３と、内部メモリ１４とを備え、ＲＯＭ１２には、ＣＰＵ１１に後述するフローチャートに示す動作を行わせるためのプログラムが記憶されている。また、ＣＰＵ１１は、撮像素子８で撮像した顔を認識処理するための顔認識エンジン１００と、写真画像を絵画調の画像に変換する絵画変換エンジン２００、環境情報を収集分析する環境情報エンジン４００、切り抜き処理エンジン４５０とを含んでいる。
【００２４】
顔認識エンジン１００は、写真の中に１つまたは複数の顔が写っている場合、それぞれの顔を認識する能力を備えている。
【００２５】
絵画変換エンジン２００は絵画変換処理を行う。絵画変換とは、前述したように画像を構成する各画素を所定のパラメータ（絵画変換パラメータ）に従って変換し、油絵調、水彩画調、パステル調・・・などの絵画調の画像に変換する技術である。絵画変換エンジン２００による絵画変換処理は、メモリカード６０に記憶されている表示対象の画像あるいは画像サービスサイト５３０の画像を、絵画調画像に変換し、変換後の絵画調画像を液晶表示パネル３に表示する処理したり、内部メモリ１４やメモリカード６０に保存する処理である。
【００２６】
また、絵画調画像への変換に際して目標とする絵画の種類、つまり変換画調画像にする特徴（画調）が選択可能である。本実施形態において、選択可能な画調は、例えば油絵調、水彩画調、パステル画調、油彩画調、色鉛筆画調、クレヨン画調、イラスト画調、点描画調、エアブラシ画調、シルクスクリーン調、刺繍絵調、コラージュ（糊付け）調の１２種類とする。
しかし、これに限ることなく、ゴッホ調、モネ調、ピカソ調等、画家の特徴を加味した変換の選択を可能としても良い。また、別の画調のアルゴリズムをメモリカード６０で提供することもできる。描画タッチとしては筆の太さも選択可能である。
【００２７】
環境情報エンジン４００は、センサ４０で得られる人の近接情報（人感情報）や、温度、湿度、気圧、風速等を得るとともに、後述するＧＰＳ制御部２０からの緯度、経度、高度等の位置情報、年月日、時刻、季節等の時間情報、撮像素子８から得られる画像情報、インターネット５００を介して他のサイトから得られる天気予報情報等を収集して環境情報を得るためものである。
【００２８】
これら顔認識エンジン１００、絵画変換エンジン２００、環境情報エンジン４００はＣＰＵ１１と協働するＡＳＩＣ（Application Specific
Integrated Circuit：特定用途向け集積回路）、若しくはＤＳＰ（Digital Signal Processor）、あるいはリコンフィギュラブルＬＳＩ（Ｃ言語等のプログラムによって再構成可能なＬＳＩ）によって構成される。
【００２９】
切り抜き処理エンジン４５０は、後述する図５及び図６のフローチャートで説明する処理を実行する。ＲＡＭ１３は、ＣＰＵ１１が必要に応じて種々のデータを一時的に記憶する作業用のメモリである。
【００３０】
内部メモリ１４は、ハードディスク、またはフラッシュメモリによる大容量不揮発性メモリであり、詳細は後述するが、フォルダが形成されて多数の画像を保存可能となっている。また、電話帳、反応ログメモリ３００も含む。
【００３１】
表示制御部１６は、ＣＰＵ１１から供給される表示用の画像データに基づいて液晶表示パネル３を駆動することにより、画像や、各種メニューを液晶表示パネル３に表示させる。キー入力制御部１７は、ＣＰＵ１１の制御に基づいてタッチパネル５の操作信号を入力するものである。
【００３２】
タッチパネル５は、静電容量方式、光学方式、抵抗膜方式、表面弾性波方式、超音波方式、電磁誘導方式等様々存在する中から、適宜選択することができる。指紋認証や、静脈認証の機能を組み込むことも可能である。
【００３３】
メモリカードインターフェース１８は、メモリカードスロット６に着脱自在に装着された各種のメモリカード６０と、ＣＰＵ１１との間におけるデータの入出力を制御する入出力インターフェースである。
【００３４】
撮像制御部１９は、撮像素子８を駆動して被写体の画像を取り込む制御を行う。ベイヤーデータで取り込まれた画像データは、ＹＵＶ、及びＲＧＢデータに変換後、ＪＰＥＧ（Joint
Photographic Experts Group）データに圧縮されて内部メモリ１４またはメモリカード６０に記録される。
【００３５】
ＧＰＳ制御部２０は、ＧＰＳアンテナ７で受信した情報を元に位置情報を取得する。これにより、画像表示装置１の現在位置を知ることができる。
【００３６】
電源制御部７０は、電源プラグ８１を介してＡＣ電源を取り入れ、直流に変換して各部に主電源７１若しくは待機電源７２の電力を供給する。
【００３７】
センサ４０は、環境情報を得るためのセンサで、人感センサ、ラインセンサ、温度センサ、湿度センサ、気圧センサ、風速センサ、照度センサ等を含み、ＣＰＵ１１、顔認識エンジン１００、環境情報エンジン４００、及び撮像素子８と協働することにより各種環境情報を得ることができる。
【００３８】
例えば近くに人がいるかどうかを検知し、近くに人がいない状態が所定時間以上続くと電源制御部７０をＣＰＵ１１により制御し、自動的に主電源７１を切って待機電源７２だけ供給しておき、節電を図り（オートパワーオフ）、再度、センサ４０が人の接近を検知すると、主電源７１をオンする。
【００３９】
また、閲覧者の角度や、距離を測定することができる。更に、閲覧者の顔を認識し、誰が閲覧しているかによって電源の制御が可能であるとともに、誰がどの角度で、近くから見ているか遠くから見ているかも検出することができる。
【００４０】
通信制御部３０は、電話回線３１若しくは無線ＬＡＮ３２を経由してインターネット５００に接続し、メールの送受信や、コンテンツの送受信を含む通信制御を行う。アドレス帳３３は、メール送受信に用いられ、実際は、内部メモリ１４内に設けられる。
【００４１】
反応ログメモリ３００は、内部メモリ１４内に設けられ、上述した撮像素子８で撮像し、顔認識エンジン１００で認識した結果や、センサ４０の反応結果、タッチパネル５のタッチ結果等により、閲覧者の反応ログ（履歴）を記憶する。４１０はパラメータメモリで、絵画変換のための各種パラメータ群Ｐを記憶している。
【００４２】
図３は、本実施形態によるネットワーク系の構成を示す概念図である。５１０はパーソナルコンピュータであり、無線ＬＡＮ３２等で通信制御部３０を介して画像表示装置１と接続でき、画像表示装置１では設定できない複雑な設定等をすることができる。
【００４３】
５２０は、インターネット５００を介して接続されるネットワークサービスサイトであり、少なくとも認証サーバー５２１、メールサーバー５２２、課金サーバー５２３、コンテンツサーバー５２４、絵画変換サーバー５２５、環境情報サーバー５２６を含む。４０は図２におけるセンサ４０と同様のセンサである。このネットワークサービスサイト５２０は表示装置１のネットワークプロバイダの役割もしている。
【００４４】
認証サーバーは、アクセス者を認証するためのものであり、メールサーバーはメールの送受信を管理するためのものであり、課金サーバーはコンテンツサーバーに保存されている画像、音楽、プログラムその他のコンテンツを有料で提供する際の課金を管理するためのものである。
【００４５】
絵画変換サーバーは前記絵画変換エンジン２００をサーバー側にも持たせたものであり、環境情報サーバーは環境情報エンジン４００をサーバー側にも持たせたものである。
【００４６】
更に、画像サービスサイト５３０にも環境情報エンジン４００を持たせる。これにより、遠方の配信コンテンツ供給元の環境情報を画像表示装置１で知ることができる。環境情報エンジン４００はセンサ４０とセットで設けられるものである。
【００４７】
画像サービスサイト５３０は、画像の切抜き、合成、絵画変換等、画像を加工してオブジェクトや作品を作り出すＷｅｂ上のサイトである。この画像加工サービスは画像表示装置からも、一般のパーソナルコンピュータからも受けることができる。ネットワークサービスサイトは、ユーザーのパーソナルコンピュータや画像表示装置をインターネットに接続するためのサイトである。
【００４８】
図４は、画像サービスサイト５３０の構成を示すブロック図である。この画像サービスサイト５３０は、会員ごとに対応して設けられる会員エリアＡと、全ユーザー共通の共通エリアＢと、各種処理を実行するためのプログラムが用意されているプログラムエリアＣ、及び制御部Ｄとからなる。制御部Ｄはサーバー全体を制御するＣＰＵ１１７とバッファメモリ１１８を有し、プログラムエリアの各種プログラムを実行する。
【００４９】
Ａ：会員エリア：
会員エリアＡには会員を識別するユーザーＩＤ１０１と、その会員の属性情報が記録される。属性情報とは、図４（Ｂ）に示すように、氏名、ハンドルネーム、性別、年齢、地域、会員種別（有料、無料）及びその他当該ユーザーに関する情報である。
【００５０】
また、その会員が保有している現在のポイント１０２が記録される。このポイントの貯め方は色々あり、第１の実施形態では、はずれのタグを獲得したら1ポイント、当たりのタグを獲得したら１００ポイントたまる。本実施形態では、タグのデザインとしてトランプのデザインを採用しているので、ハートのエースを当たり、他をはずれとして扱っている。しかしトランプの札に応じてポイントを変えたり、トランプの札を集めてポーカーのように役によってポイントを変えたりすることもできる。
【００５１】
また、ＳＮＳサイトであるから、アクセス数や投票数等、他の会員の評価も重要な要素となり得る。
【００５２】
アップロード画像エリア１０３は、ユーザーがアップロードした写真を記憶するエリアであり、絵画変換したり切り抜いたりしてできた作品は作品バッファ１０４に記憶される。それを投稿すると共通エリアの該当作品記憶エリアに転送される。
ダウンロード画像エリア１０５は共通エリアの作品をダウンロードしたときに記憶されるバッファエリアである。
【００５３】
Ｂ：共通エリア：
会員が投稿した絵画変換画像作品１０６、オブジェクト作品１０７、背景画像作品１０８、合成画像作品１０９が記録される。多数の作品が投稿され記録されるが、それぞれの作品ごとに画像ＩＤが付加されて識別されるとともに、ポイント、アクセス数が記録される。ポイントは、アクセス数、ダウンロード数、他の会員の評価等により加算されていく。
【００５４】
素材バンク１１０は、予め用意された多数のオブジェクトが記録されている。
タグ記憶部１１１は、作品をダウンロードする際に付加されるタグ情報が記憶されており、本実施形態ではトランプの各種マークを記憶している。単純にはずれとしての黒のタグと、当たりとしての金のタグを記憶してもよい。
【００５５】
絵画変換画像作品１０６は会員がアップロードした画像を各種絵画変換した画像、オブジェクト作品はユーザーが切り抜いたオブジェクト、背景画像作品１０８はオブジェクト作品１０７と合成するための背景画像集であり会員が投稿した写真でもあらかじめ用意されている写真でも良い。
【００５６】
合成画像作品１０９は前記背景画像１０８とオブジェクト１０７を合成して出来上がった合成画像の作品である。
【００５７】
Ｃ：プログラムエリア：
切り抜き処理部１１２、合成処理部１１３、絵画変換処理部１１４、パラメータテーブル１１５、タグ処理部１１６が設けられている。また、制御部Ｄは、ＣＰＵ１１７やバッファメモリ１１８を備えている。前記各処理部１１２．１１３、１１４、１１６には、プログラムが格納され、これらプログラムに基づき、バッファメモリ１１８をワークエリアとして用いて、ＣＰＵ１１７が動作することにより、各処理部の内容「切り抜き」「合成」「絵画変換」等の処理が実行される。
【００５８】
次に、画像表示装置１及び画像サービスサイト５３０を用いた被写体切り抜き処理について、図５〜図７を参照して説明する。
ここで、図７Ａ〜図７Ｃは、被写体切り抜き処理に係る画像の一例を模式的に示す図である。
【００５９】
図５に示すように、画像表示装置１のＣＰＵ１１は、ユーザーによる所定の操作に基づいて、画像サービスサイト５３０により開設される被写体抽出用ページのアクセス指示が入力されると、当該アクセス指示を通信制御部３０よりインターネット５００を介して画像サービスサイト５３０に送信する（ステップＳ１）。
【００６０】
画像サービスサイト５３０の制御部Ｄによって、画像表示装置１から送信されたアクセス指示が受信されると、制御部Ｄは、被写体抽出用ページのページデータをインターネット５００を介して画像表示装置１に送信する（ステップＳ２）。
画像表示装置１の通信制御部３０よって、被写体抽出用ページのページデータが受信されると、表示制御部１６は、当該被写体抽出用ページのページデータに基づいて、所定の被写体抽出用ページを液晶表示パネル３に表示する。
【００６１】
次に、画像表示装置１のＣＰＵ１１は、内部メモリ１４から当該被写体切り抜き処理に係る被写体存在画像Ｐ１の画像データを読み出した後、表示制御部１６は、当該被写体存在画像Ｐ１の画像データを液晶表示パネル３に表示する（ステップＳ３）。
【００６２】
また、通信制御部３０は、読み出された被写体存在画像Ｐ１の画像データを画像サービスサイト５３０にインターネット５００を介して送信する（ステップＳ４）。すると、画像サービスサイト５３０の制御部Ｄは、画像表示装置１から送信された被写体存在画像Ｐ１の画像データを受信する（ステップＳ５）。
【００６３】
その後、画像表示装置１のＣＰＵ１１は、ユーザーによる所定操作に基づいて、液晶表示パネル３に表示されている被写体存在画像Ｐ１にて境界線Ｌの視点座標（第１座標）が入力されたか否かを判断する（ステップＳ６）。すなわち、ＣＰＵ１１は、ユーザーによるタッチ操作に基づいて、被写体存在画像Ｐ１上に連続して描画される境界線Ｌを構成する複数の点の座標のうち、最初に描画された点を始点として、その始点の第１座標が入力されたか否かを判断する。
【００６４】
ステップＳ６の判断処理は、境界線Ｌの始点の第１座標が入力されたと判断されるまで（ステップＳ６：ＹＥＳ）、繰り返される。
そして、ステップＳ６にて、境界線Ｌの始点の第１座標が入力されたと判断されると（ステップＳ６：ＹＥＳ）、ＣＰＵ１１は、入力された第１座標の設定指示信号を通信制御部３０よりインターネット５００を介して、画像サービスサイト５３０に送信する（ステップＳ７）。
【００６５】
画像サービスサイト５３０の制御部Ｄによって、画像表示装置１から送信された第１座標の設定指示信号が受信されると、切り抜き処理１１２は、第１座標の設定指示信号並びに被写体存在画像Ｐ１の画像データに基づいて、当該被写体存在画像Ｐ１にて境界線Ｌの始点の座標を指定する（ステップＳ８）。
【００６６】
次に、画像表示装置１のＣＰＵ１１は、ユーザーによる所定操作に基づいて、液晶表示パネル３の表示画面に表示されている被写体存在画像Ｐ１にて境界線Ｌの終点の座標（第２座標）が入力されたか否かを判定する（ステップＳ９）。すなわち、ＣＰＵ１１は、ユーザーによるタッチ操作に基づいて被写体存在画像Ｐ１上に連続して描画される境界線Ｌを構成する複数の点の座標のうち、最後に描画された点を終点として、その終点の第２座標が入力されたか否かを判定する。
【００６７】
ステップＳ９の判定処理は、境界線Ｌの終点の第２座標が入力されたと判定されるまで（ステップＳ９；ＹＥＳ）、繰り返し実行され、ユーザーによるタッチ操作に基づいて画像表示装置１から画像サービスサイト５３０に被写体存在画像Ｐ１上に連続して描画される境界線Ｌを構成する複数の点の座標が順次送信される。そして、ステップＳ９にて、境界線Ｌの終点の第２座標が入力されたと判定されると（ステップＳ９；ＹＥＳ）、ＣＰＵ１１は、キー入力制御部１７から出力され入力された第２座標の設定指示信号を通信制御部３０によりインターネット５００を介して画像サービスサイト５３０に送信させる（ステップＳ１０）。
【００６８】
画像サービスサイト５３０の制御部Ｄによって、画像表示装置１から送信された第２座標の設定指示信号が受信されると、切り抜き処理１１２は、第２座標の設定指示信号並びに被写体存在画像Ｐ１の画像データに基づいて、当該被写体存在画像Ｐ１にて境界線Ｌの終点の座標を指定する（ステップＳ１１）。
続けて、切り抜き処理１１２は、被写体存在画像Ｐ１上に連続して描画された境界線Ｌを構成する複数の点の座標を連結して、始点から終点まで連続した境界線Ｌを指定する（ステップＳ１２）。
【００６９】
次に、切り抜き処理部１１２は、被写体存在画像Ｐ１の画像データを取得して、当該画像データに対して所定の顔検出処理を行って顔領域を検出する（ステップＳ１３）。
続けて、切り抜き処理部１１２は、被写体存在画像Ｐ１の複数の画像境界Ｂ、…のうち、下側画像境界Ｂｄを特定する（ステップＳ１４）。具体的には、切り抜き処理部１１２は、被写体存在画像Ｐ１の画像データを取得して、当該画像データにおける上下左右の４つの画像境界Ｂｔ、Ｂｄ、Ｂｌ、Ｂｒのうち、切り抜き処理部１１２により検出された被写体の顔領域の顔の向きに対して下側となる画像境界Ｂを下側画像境界Ｂｄとして特定する。なお、ステップＳ１３において顔領域が検出されなかった場合は、単純に画像表示装置１の液晶表示パネル３に表示されている被写体存在画像Ｐ１の下側の画像境界を下側画像境界Ｂｄとしても良い。
【００７０】
その後、切り抜き処理部１１２は、被写体存在画像Ｐ１の上下左右の４つの画像境界Ｂｔ、Ｂｄ、Ｂｌ、Ｂｒと境界線Ｌにより区分される複数の区分領域Ａ、…として、左区分領域Ａｌ、右区分領域Ａｒ及び中区分領域Ａｍを特定する（ステップＳ１５）。また、切り抜き処理部１１２は、特定された複数の区分領域Ａ、…の各々の縁部に沿う複数の画素を合計した全画素数をそれぞれ算出する。
【００７１】
続けて、切り抜き処理部１１２は、特定された複数の区分領域Ａ、…、すなわち、左区分領域Ａｌ、右区分領域Ａｒ及び中区分領域Ａｍの中から、各区分領域Ａの縁部を構成する画像境界Ｂの画素数が当該縁部の全画素数に対して所定の割合（例えば、４０％等）以上となる領域Ａｃを特定する（ステップＳ１６）。例えば、切り抜き処理部１１２は、左区分領域Ａｌ及び右区分領域Ａｒの各々の縁部を構成する画像境界Ｂの画素数が各縁部の全画素数に対して所定の割合以上であると判定して、当該左区分領域Ａｌ及び右区分領域Ａｒを領域Ａｃとして特定する。
【００７２】
次に、切り抜き処理部１１２は、被写体存在画像Ｐ１の複数の区分領域Ａ、…の中から被写体領域Ａｓを特定する（ステップＳ１７）。具体的には、切り抜き処理部１１２は、被写体存在画像Ｐ１の複数の区分領域Ａ、…の中で、領域Ａｃとしての左区分領域Ａｌ及び右区分領域Ａｒを被写体領域Ａｓの候補から除外し、さらに、下側画像境界Ｂｄの構成画素を最も多く含む中区分領域Ａｍを、被写体領域Ａｓとして特定する。
【００７３】
続けて、切り抜き処理部１１２は、被写体存在画像Ｐ１から所定の抽出方法に従って被写体領域Ａｓを抽出する処理を行って、被写体存在画像Ｐ１における被写体領域Ａｓの位置を示す抽出用画像としてアルファマップを生成する（ステップＳ１８）。
【００７４】
その後、切り抜き処理部１１２は、生成されたアルファマップを用いて被写体存在画像Ｐ１から被写体領域Ａｓを切り出して、所定の単一色画像Ｐ３と合成して被写体切り抜き画像Ｐ２（図７Ｃ参照）の画像データを生成する（ステップＳ１９）。具体的には、切り抜き処理部１１２は、被写体存在画像Ｐ１の全ての画素について、アルファ値が０の画素については、透過させ、アルファ値が０＜α＜１の画素については、所定の単一色とブレンディングを行い、アルファ値が１の画素については、何もせずに所定の単一色に対して透過させないようにする。なお、アルファマップの縁部分には、合成階調がつけられているため、切り出された被写体領域Ａｓと単一色画像Ｐ３（背景）との境界部分がはっきりしていない自然な感じとなる。
【００７５】
また、生成された被写体切り抜き画像Ｐ２の画像データは、抽出用画像であるアルファマップと対応付けてオブジェクト作品１０７として記憶される。
【００７６】
画像サービスサイト５３０のＣＰＵ１１７は、生成された被写体切り抜き画像Ｐ２の画像データを制御部Ｄによりインターネット５００を介して画像表示装置１に送信させる（ステップＳ２０）。
【００７７】
そして、画像表示装置１の通信制御部３０によって、被写体切り抜き画像Ｐ２の画像データが受信されると（ステップＳ２１）、液晶表示パネル３は、当該被写体切り抜き画像Ｐ２の画像データに基づいて、被写体画像を表示画面に表示する（ステップＳ２２）。これにより、被写体切り抜き処理を終了する。
【００７８】
したがって、本実施形態によれば、被写体存在画像Ｐ１における境界線Ｌにより区分される複数の区分領域Ａ、…の中から、被写体領域Ａｓの特定の基準となる領域Ａｃを特定し、当該領域Ａｃを基準として、被写体存在画像Ｐ１における複数の区分領域Ａ、…の中から被写体領域Ａｓを特定するので、境界線Ｌを完全に閉じられた形態で形成する必要がないだけでなく、さらに、当該境界線Ｌにより区分される複数の区分領域Ａ、…の中で何れか一の区分領域Ａを指定する必要もなくなる。特に、被写体存在画像Ｐ１における複数の区分領域Ａ、…の中から領域Ａｃを除外することにより、被写体領域Ａｓの特定を適正に行うことができる。
しかも、被写体領域Ａｓの特定を簡便に、且つ、適正に行うことができる。
【００７９】
また、被写体存在画像Ｐ１における複数の区分領域Ａ、…の中で、当該被写体存在画像Ｐ１における下側画像境界Ｂｄを構成する画素数を計数せずに所定の演算を行って、領域
Ａｃを特定するので、例えば、被写体存在画像Ｐ１として、人の胸から上のバストショットを撮像した被写体存在画像Ｐ１から被写体領域Ａｓを特定する場合などに、被写体領域Ａｓの特定の基準となる領域Ａｃの特定を適正に行うことができる（本実施形態では犬を被写体として例示）。
【００８０】
すなわち、例えば、境界線Ｌが完全に閉じられた形態で形成されていない場合に、当該境界線Ｌと被写体存在画像Ｐ１の下側画像境界Ｂｄとによって囲まれた領域を被写体領域としても、被写体が画像中心よりも左右の何れか一側にずれて左右の何れか一側の画像境界にかかっていると、境界線Ｌを完全に閉じられた形態とすることができずに被写体領域の特定を適正に行えないといった問題が生じる。また更に、境界線Ｌが完全に閉じられた形態で形成されていない場合に、当該境界線Ｌと被写体存在画像Ｐ１の画像境界Ｂとによって囲まれた領域を被写体存在領域として特定しようとしても、そのような領域が複数存在する場合、被写体領域の特定を適正に行えないといった問題が生じる。
【００８１】
これに対して、被写体存在画像Ｐ１における複数の区分領域Ａ、…の中で、当該被写体存在画像Ｐ１における下側画像境界Ｂｄを構成する画素数を計数せずに所定の演算を行って領域Ａｃを特定し、当該領域Ａｃを基準として被写体存在画像Ｐ１における複数の区分領域Ａ、…の中から被写体領域Ａｓを特定することで、境界線Ｌを完全に閉じられた形態としなくても被写体領域Ａｓの特定を適正に行うことができる。
【００８２】
さらに、被写体存在画像Ｐ１の複数の画像境界Ｂ、…のうち、顔検出処理により検出された被写体の顔の向きに対して下側となる画像境界Ｂを被写体存在画像Ｐ１における下側画像境界Ｂｄとして特定することで、下側画像境界Ｂｄの特定を適正に行うことができ、被写体存在画像Ｐ１における複数の区分領域Ａ、…の中で領域Ａｃ及び被写体領域Ａｓの特定を適正に行うことができる。なお、本実施形態では犬を被写体として例示しているが、人に限らず動物の顔も検出可能である。
【００８３】
さらに、顔検出処理による検出結果を基準として、被写体存在画像Ｐ１における複数の区分領域Ａ、…の中から被写体領域Ａｓを特定する。より具体的には、被写体存在画像Ｐ１における複数の区分領域Ａ、…の中で、検出された被写体の顔の向きに対して下側の画像境界Ｂを最も多く含む区分領域Ａを、被写体領域Ａｓとして特定するので、例えば、被写体存在画像Ｐ１として、人の胸から上のバストショットを撮像した被写体存在画像Ｐ１から被写体領域Ａｓを特定する場合などに、被写体存在画像Ｐ１における複数の区分領域Ａ、…の中から、被写体領域Ａｓを適正に特定することができる。
【００８４】
また、被写体存在画像Ｐ１から特定された被写体領域Ａｓを抽出するので、被写体切り抜き画像Ｐ２の生成を適正に行うことができる。
【００８５】
なお、図８Ａ，Ｂ，Ｃは、絵画変換エンジン２００を用いて撮影された画像である撮影画像Ｐ１０（図８Ａ）の画調を変換して、絵画調の画像である絵画調画像Ｐ１１（図８Ａ）、Ｐ１２（図８Ａ）を生成した場合を示す。
【００８６】
図９は、画像表示装置１が画像サービスサイト５３０から被写体切り抜き画像Ｐ２（オブジェクト作品１０７）をダウンロードして取得する際における、画像サービスサイト５３０側の処理手順を示すフローチャートである。画像サービスサイト５３０の制御部Ｄは、画像表示装置１からのオブジェクトの指定を受け付ける（ステップＳ１０１）。そして、この指定されたオブジェクトをオブジェクト作品１０７から読み出す（ステップＳ１０２）。
【００８７】
次いで、乱数を発生させ（ステップＳ１０３）、この発生させた乱数により指定されるタグを素材バンク１１０から読み出す（ステップＳ１０４）。このとき、当該タグを当たりとするかどうかの決定、及び当該タグの価値を決定する。また、このタグをオブジェクトに合成する（ステップＳ１０５）。したがって、このステップＳ１０５での処理により、図１０Ａ及び図１０Ｂに示すように、オブジェクトＯにタグＴが合成された画像が生成されることとなる。
【００８８】
引き続き、ダウンロードユーザーにタグの価値を加算する（ステップＳ１０６）。すなわち、会員エリアＡには会員を識別するユーザーＩＤ１０１と、その会員が保有している現在のポイント１０２が記録されていることから、現在のポイント１０２に今回のタグの価値のポイントを加算して、これを更新する。タグの価値は、例えばトランプにおけるクラブの３（図１０Ａ）は、ポイントを「＋１」、ハートのエース（図１０Ｂ）は、ポイントを「＋１００」とする。なお、クラブの３は「＋３」としてもよいし、クラブ、ハート、ダイヤ、スペード毎に重み付けを変えるようにしてもよい。
【００８９】
つまり、作品をダウンロードすると、図１０Ａのようにタグが付加されてダウンロードされる。図１０Ａは一般のタグ（クラブの３）でありはずれのタグ、図１０Ｂは金のタグ（ハートのエース）であり当たりのタグである。
【００９０】
また、作品作成者にタグの価値加算（ポイント加算）する（ステップＳ１０７）。つまり、作品作成者は当該作品の著作権者であり、作品から利益を得るべき権利がある。よって、このステップＳ１０７での処理により、作品作成者の利益を担保することができる。
【００９１】
しかる後に、タグが付加されたオブジェクトをダウンロードさせる（ステップＳ１０８）。これにより、図１０Ａ、１０Ｂに示したタグＴが付加されたオブジェクトＯが画像サービスサイト５３０から画像表示装置１に送信される。画像表示装置１のユーザーは、タグＴが付加されたままオブジェクトＯを利用してもよいし、予めＲＯＭ１２に格納されている除去プログラムを用いてオブジェクトＯからタグＴを除去してもよい。
【００９２】
なお、上記実施形態は無料サービスを前提として説明したが、有料会員はタグが付かない作品を無料でダウンロードすることができるようにしてもよい。
【００９３】
しかして、請求項１記載の発明に基づく実施形態によれば、ユーザーが画像データをダウンロードできる画像データサービスシステムにおいて、前記画像データに可視状のタグを付加し、当該タグに所定の条件に基づき価値を付与して、前記画像データを前記ユーザーにダウンロードさせることを特徴とする画像サービスシステムを提供する。
【００９４】
請求項２記載の発明に基づく実施形態によれば、画像データを記憶する第１の記憶手段と、前記記憶手段に記憶された画像データから加工画像を抽出する抽出手段と、前記抽出手段により抽出された加工画像を記憶する第２の記憶手段と、タグを生成するタグ生成手段と、前記タグ生成手段で生成されたタグに所定の価値情報を付加する付加手段と、前記タグ生成手段により生成され前記付加手段により価値情報が付加されたタグを前記部分画像に合成する合成処理を行うタグ合成手段と、を具備したことを特徴とする画像サービス装置を提供する。
【００９５】
請求項３記載の発明に基づく実施形態によれば、請求項２において、前記合成手段は第２の記憶手段に記憶されている加工画像をユーザーのコンピュータにダウンロードする際に前記タグ合成処理を行うことを特徴とする画像サービス装置を提供する。
【００９６】
請求項４記載の発明に基づく実施形態によれば、請求項３において、ユーザーが前記加工画像をダウンロードした際、前記タグに付加されている価値情報の価値に応じて、当該ユーザーは、所定の利益を得ることを特徴とする画像サービス装置を提供する。
【００９７】
請求項５記載の発明に基づく実施形態によれば、ネットワークを介して接続される端末とサーバーとで構成されるネットワークシステムであって、前記端末は、画像データをダウンロードするダウンロード手段を備え、前記サーバーは、画像データ又はこれを加工した画像データであるオブジェクトを記憶する記憶手段と、この記憶手段に記憶されたオブジェクトの前記端末からのダウンロード要求に応じて、ダウンロードを許可する許可手段と、種別に応じて異なる価値を有するタグを前記ダウンロードされるオブジェクトに付加する付加手段とを備えることを特徴とするネットワークシステムを提供する。
【００９８】
請求項６記載の発明に基づく実施形態によれば、ネットワークを介して接続される端末とサーバーとを用いる画像サービス方法であって、前記サーバーは、画像データ又はこれを加工した画像データであるオブジェクトを記憶し、この記憶したオブジェクトの前記端末からのダウンロード要求に応じて、ダウンロードを許可し、種別に応じて異なる価値を有するタグを前記ダウンロードされるオブジェクトに付加することを特徴とする画像サービス方法を提供する。
【００９９】
請求項７記載の発明に基づく実施形態によれば、ネットワークを介して接続される端末とサーバーとで構成されるネットワークシステムにおけるサーバーが有するコンピュータを、画像データ又はこれを加工した画像データであるオブジェクトを記憶する記憶手段と、この記憶手段に記憶されたオブジェクトの前記端末からのダウンロード要求に応じて、ダウンロードを許可する許可手段と、種別に応じて異なる価値を有するタグを前記ダウンロードされるオブジェクトに付加する付加手段として機能させることを特徴とするプログラムを提供する。
【０１００】
請求項８記載の発明に基づく実施形態によれば、会員制ソーシャル・ネットワーク・サービスサイトにおける画像サービスシステムであって、画像を会員の端末から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、複数の異なるタグ情報を生成するタグ生成手段と、前記公開された処理画像の閲覧状況に応じて前記処理画像に第１の価値情報を与えるとともに、前記タグ生成手段により生成されたタグ情報の中から第２の価値情報に対応するタグ情報を選択するタグ選択手段と、前記公開された処理画像を会員の端末にダウンロードさせるダウンロード手段と、を備え、前記ダウンロードの際、前記処理画像に前記選択された第２の価値情報に対応するタグ情報を付加し、当該ダウンロードした会員に前記第２の価値情報を付与することを特徴とする画像サービスシステムを提供する。
【０１０１】
請求項９記載の発明に基づく実施形態によれば、会員制ソーシャル・ネットワーク・サービスサイトにおける画像サービスシステムであって、画像を会員の端末から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、タグ情報を生成するタグ生成手段と、前記公開された処理画像の閲覧状況に応じて前記処理画像に第１の価値情報を付与するとともに、前記タグ生成手段により生成されたタグ情報に第２の価値情報を付与する価値付与手段と、前記公開された処理画像を会員の端末にダウンロードさせるダウンロード手段と、を備え、前記ダウンロードの際、前記処理画像に前記生成され前記第２の価値情報が付与されたタグ情報を付加し、当該ダウンロードした会員に前記第２の価値情報を付与することを特徴とする画像サービスシステムを提供する。
【０１０２】
したがって、本実施の形態によれば、会員制コミュニケーションサービスにおいて、会員が他の会員の作品若しくは有料作品を無料でダウンロードする際に、著作権の存在を示すタグが付加されてくることは、会員にとって何の価値もなかったが、本実施形態により、多数の作品をダウンロードすることによりポイントがたまり、且つ、当たりのタグが付加された場合には、一気にポイント数がたまり、他の作品購入に活用することができるので、会員のサイトに対するアクセス動機が高まり、また作品制作者側にとっても、多くの会員が自分の作品にアクセスしてくれることにより自分の作品の価値が高まり、サイトの活性化や会員同士のコミュニケーションを向上することができる効果を奏する。
【０１０３】
第２の実施の形態
ユーザーＩＤの属性情報を参照し、男性が閲覧するとスペードのタグ、女性が閲覧するとハートのタグ、子供（例えば1５歳未満）が閲覧するとクラブのタグ、シニア（例えば７０歳以上）が閲覧するとスペードのタグを付ける。会員登録時にプロフィールを登録してユーザーＩＤの属性情報記録欄に記録されているので、これらの情報を得ることができる。ユニークＩＤの会員（同一会員の複数回閲覧は1回と数える）の閲覧数（アクセス数）に応じて、トランプの数が２→３→・・・Ｊ→Ｑ→Ｋ→Ａと上がっていく。閲覧だけでなくダウンロードすると１０回分に相当する。
【０１０４】
したがって、第２の実施の形態によれば、タグの価値によりユーザーのダウンロード意欲を刺激して、ダウンロードを促進することができる。
【符号の説明】
【０１０５】
１    画像表示装置
２    本体
３    液晶表示パネル
５    タッチパネル
６    メモリカードスロット
１１    ＣＰＵ
１２    ＲＯＭ
１３    ＲＡＭ
１４    内部メモリ
１６    表示制御部
１７    キー入力制御部
１００    顔認識エンジン
１０１    ユーザーＩＤ
１０２    ポイント
１０３    アップロード画像エリア
１０４    作品バッファ
１０５      ダウンロード画像エリア
１０６    絵画変換画像作品
１０７    オブジェクト作品
１０８    背景画像作品
１０９    合成画像作品
１１０    素材バンク
１１１    タグ記憶部
１１３    合成処理部
１１４    絵画変換処理部
１１５    パラメータテーブル
１１６    タグ処理部
１１７    ＣＰＵ
１１８    バッファメモリ
２００    絵画変換エンジン
３００    反応ログメモリ
３０１    中央制御部
４００    環境情報エンジン
４５０    処理エンジン
５００    インターネット
５２０    ネットワークサービスサイト
５２１    認証サーバー
５２２    メールサーバー
５２３    課金サーバー
５２４    コンテンツサーバー
５２５    絵画変換サーバー
５２６    環境情報サーバー
５３０    画像サービスサイト
Ｃ    プログラムエリア
Ｄ    制御部
Ｏ    オブジェクト
Ｔ    タグ
【図１】
2012215928.tif 000003
【図２】
2012215928.tif 000004
【図３】
2012215928.tif 000005
【図４】
2012215928.tif 000006
【図５】
2012215928.tif 000007
【図６】
2012215928.tif 000008
【図７】
2012215928.tif 000009
【図８】
2012215928.tif 000010
【図９】
2012215928.tif 000011
【図１０】
2012215928.tif 000012